(57)【要約】【課題】ガラス板を収容した透過枠体を備えると共に形成された遊技領域に対する不正行為の防止効果をさらに高めた構造を備えた弾球遊技機を提供する。【解決手段】遊技板と、前面枠体と、遊技領域の前面側を覆う透視可能な透明部材を有する透過枠体とを備えた弾球遊技機において、透過枠体の透明部材よりも遊技板３側に位置すると共に遊技領域８の前面側に透視可能な保護透明部材６を備え、保護透明部材に遊技板に取り付けるための取付ベース体６００を設け、取付ベース体は保護透明部材を保持する保持部６１０を有すると共に、取付ベース体は遊技板側から前面枠体側へ突出した遊技板係止片３１１〜３１４と係合する貫通口６１１〜６１４を設け、遊技板係止片は回動可能な軸部３２１，３２２を備え、遊技板係止片は貫通口に挿入されて遊技板係合部と係合する係合位置と、貫通口に挿入されても遊技板係合部と係合しない非係合位置で変化可能とする。【選択図】図７
2009261560.tif 000002
【特許請求の範囲】
【請求項１】
遊技球が流下可能な遊技領域を有する遊技板と、
前記遊技板を保持する前面枠体と、
前記前面枠体の前面に配置され、遊技領域の前面側を覆う透視可能な透明部材を有する透過枠体とを備えた弾球遊技機において、
前記透過枠体の前記透明部材よりも前記遊技板側に位置すると共に前記遊技領域の前面側に透視可能な保護透明部材を備え、
前記保護透明部材に、前記遊技板側に取り付けるための取付ベース体を設けたことを特徴とする弾球遊技機。
【請求項２】
前記取付ベース体は前記保護透明部材を保持する保持部を有すると共に、前記取付ベース体もしくは前記遊技板のいずれか一方は他方の側から前記一方の側へ突出した遊技板係止片と係合する遊技板係合部を設けていることを特徴とする請求項１に記載の弾球遊技機。
【請求項３】
前記遊技板係止片及び前記遊技板係合部は、前記遊技領域外のそれぞれ対向する位置に複数備えられていることを特徴とする請求項２に記載の弾球遊技機。
【請求項４】
前記遊技板係止片を挿入する貫通口が前記遊技板係合部に形成され、
前記遊技板係止片は回動可能な軸部を備えた回動遊技板係止片で少なくとも構成され、前記回動遊技板係止片は前記貫通口に挿入されて前記遊技板係合部と係合する係合位置と、前記貫通口に挿入されても前記遊技板係合部と係合しない非係合位置との間で前記軸部を中心に回動可能に構成されていることを特徴とする請求項３に記載の弾球遊技機。
【請求項５】
前記遊技板係止片は、前記回動遊技板係止片と、前記軸部の先端部に該軸部よりも大径の大径先端部を備えた大径遊技板係止片から構成され、
前記大径遊技板係止片と対向する位置の前記遊技板係合部は前記大径先端部を挿入可能な大径貫通口と前記大径先端部よりも小径の前記軸部が挿通可能な軸部挿通口を備え、
前記大径貫通口に前記大径遊技板係止片を挿入した状態で前記軸部が前記大径貫通口から前記軸部挿通口へ移動可能に構成されていることを特徴とする請求項４に記載の弾球遊技機。
【請求項６】
前記回動遊技板係止片と該回動遊技板係止片に係合可能な前記遊技板係合部は前記遊技板の上部両側に配置されていると共に、前記大径遊技板係止片と該大径遊技板係止片と係合する前記遊技板係合部は前記遊技板の下部両側に配置されることを特徴とする請求項５に記載の弾球遊技機。
【請求項７】
前記遊技板は、その前面下部に前記取付けベース体の下部を支持可能な受け部材を備え、前記受け部材は前記取付けベース体を幅方向で保持可能な載置部を備えていることを特徴とする請求項１ないし６のいずれか１項に記載の弾球遊技機。
【請求項８】
遊技球が流下可能な遊技領域を有する遊技板と、
前記遊技板を保持する前面枠体と、
前記前面枠体の前面に配置され、遊技領域の前面側を覆う透視可能な透明部材を有する透過枠体とを備えた弾球遊技機において、
前記透過枠体の前記透明部材よりも前記遊技板側に位置すると共に前記遊技領域の前面側に透視可能な保護透明部材を備え、
前記保護透明部材に、前記前面枠体側に取り付けるための取付ベース体を設けたことを特徴とする弾球遊技機。
【請求項９】
前記取付ベース体は前記保護透明部材を保持する保持部を有すると共に、前記取付ベース体もしくは前記前面枠体のいずれか一方は他方の側から前記一方の側へ突出した前面枠体係止片と係合する枠体係合部を設けていることを特徴とする請求項８に記載の弾球遊技機。
【請求項１０】
前記前面枠体係止片及び前記枠体係合部は、それぞれ対向する位置に複数備えられていることを特徴とする請求項９に記載の弾球遊技機。
【請求項１１】
前記前面枠体係止片を挿入する貫通口が前記枠体係合部に形成され、
前記前面枠体係止片は回動可能な軸部を備えた回動前面枠体係止片で少なくとも構成され、前記回動前面枠体係止片は前記貫通口に挿入されて前記枠体係合部と係合する係合位置と、前記貫通口に挿入されても前記枠体係合部と係合しない非係合位置との間で前記軸部を中心に回動可能に構成されていることを特徴とする請求項１０に記載の弾球遊技機。
【請求項１２】
前記前面枠体係止片は、前記回動前面枠体係止片と、前記軸部の先端部に前記軸部よりも大径の大径先端部を備えた大径前面枠体係止片から構成され、
前記大径前面枠体係止片と対向する位置の前記前面枠体係合部は前記大径先端部を挿入可能な大径貫通口と前記大径先端部よりも小径の前記軸部が挿通可能な軸部挿通口を備え、
前記大径貫通口に前記大径前面枠体係止片を挿入した状態で前記軸部が前記大径貫通口から前記軸部挿通口へ移動可能に構成されていることを特徴とする請求項１１に記載の弾球遊技機。
【請求項１３】
前記回動前面枠体係止片と該回動前面枠体係止片に係合可能な前記前面枠体係合部は前記前面枠体における前記遊技板の取り付け位置の上部両側に配置されていると共に、前記大径前面枠体係止片と該大径前面枠体係止片と係合する前記前面枠体係合部は前記前面枠体における前記遊技板の取り付け位置の下部両側に配置されることを特徴とする請求項１２に記載の弾球遊技機。
【請求項１４】
前記遊技領域には遊技球を該遊技領域へ誘導する誘導路が形成され、前記誘導路には外側壁部と該外側壁部よりも前記遊技領域の中心側となる内側に配置された内側壁部が備えられており、
前記外側壁部または前記内側壁部のいずれか一方あるいは両方が前記取付ベース体に設けられていることを特徴とする請求項１ないし１３のいずれか１項に記載の弾球遊技機。
【請求項１５】
前記外側壁部及び前記内側壁部は共に円弧形状に形成され、前記誘導路を形成する部位にレール部材が取り付けられ、
前記取付ベース体は、発射装置から発射された遊技球を前記誘導路へ導く流入口を備えると共に、前記外側壁部と前記内側壁部とを渦巻き形状に連結して構成され、
前記保護透明部材は前記流入口を覆って前記取付ベース体に被さることを特徴とする請求項１４に記載の弾球遊技機。
【発明の詳細な説明】
【技術分野】
【０００１】
本発明は、パチンコ遊技機等の弾球遊技機に関し、特に遊技機内に組み込まれている遊技領域を不正行為から保護する弾球遊技機に関する。
【背景技術】
【０００２】
パチンコ遊技機等の弾球遊技機は、遊技板の前面に遊技球が流下する遊技領域を備えている。この遊技領域には、釘、図柄表示装置、各種入賞口、その他の役物が備えられる。一般的な弾球遊技機によると、遊技板は弾球遊技機の前面枠に固定され、さらに遊技板の前面側（遊技者側）にガラス板を収容した透過枠体が配置される（例えば、特許文献１等参照。）。遊技板（その遊技領域）の前面は透過枠体により覆われ、遊技球の流路、入賞口等が遊技機外部から保護されている。
【０００３】
しかしながら、特許文献１をはじめとする従前の弾球遊技機の場合、ガラス板を収容した透過枠体を弾球遊技機の本体側の枠体からこじ開けようとする不正行為が問題視されるようになってきた。この場合、透過枠体と本体側の枠体との間に生じた隙間から針金等の道具が挿入されるおそれがある。例えば、挿入された針金により遊技領域内の入賞口が開放状態となり遊技球の入賞数が増加し、遊技球が不正に獲得される。
【０００４】
そこで、遊技領域を効果的に不正行為から保護することができる弾球遊技機が求められていた。
【特許文献１】実開平２−１１８５号公報
【発明の開示】
【発明が解決しようとする課題】
【０００５】
本発明は、上記状況に鑑み提案されたものであり、ガラス板を収容した透過枠体を備えると共に遊技板に形成された遊技領域に対する不正行為の防止効果をさらに高めた構造を備えた弾球遊技機を提供する。
【課題を解決するための手段】
【０００６】
すなわち、請求項１の発明は、遊技球が流下可能な遊技領域を有する遊技板と、前記遊技板を保持する前面枠体と、前記前面枠体の前面に配置され、遊技領域の前面側を覆う透視可能な透明部材を有する透過枠体とを備えた弾球遊技機において、前記透過枠体の前記透明部材よりも前記遊技板側に位置すると共に前記遊技領域の前面側に透視可能な保護透明部材を備え、前記保護透明部材に、前記遊技板側に取り付けるための取付ベース体を設けたことを特徴とする弾球遊技機に係る。
【０００７】
請求項２の発明は、前記取付ベース体は前記保護透明部材を保持する保持部を有すると共に、前記取付ベース体もしくは前記遊技板のいずれか一方は他方の側から前記一方の側へ突出した遊技板係止片と係合する遊技板係合部を設けていることを特徴とする請求項１に記載の弾球遊技機に係る。
【０００８】
請求項３の発明は、前記遊技板係止片及び前記遊技板係合部は、前記遊技領域外のそれぞれ対向する位置に複数備えられていることを特徴とする請求項２に記載の弾球遊技機に係る。
【０００９】
請求項４の発明は、前記遊技板係止片を挿入する貫通口が前記遊技板係合部に形成され、前記遊技板係止片は回動可能な軸部を備えた回動遊技板係止片で少なくとも構成され、前記回動遊技板係止片は前記貫通口に挿入されて前記遊技板係合部と係合する係合位置と、前記貫通口に挿入されても前記遊技板係合部と係合しない非係合位置との間で前記軸部を中心に回動可能に構成されていることを特徴とする請求項３に記載の弾球遊技機に係る。
【００１０】
請求項５の発明は、前記遊技板係止片は、前記回動遊技板係止片と、前記軸部の先端部に該軸部よりも大径の大径先端部を備えた大径遊技板係止片から構成され、前記大径遊技板係止片と対向する位置の前記遊技板係合部は前記大径先端部を挿入可能な大径貫通口と前記大径先端部よりも小径の前記軸部が挿通可能な軸部挿通口を備え、前記大径貫通口に前記大径遊技板係止片を挿入した状態で前記軸部が前記大径貫通口から前記軸部挿通口へ移動可能に構成されていることを特徴とする請求項４に記載の弾球遊技機に係る。
【００１１】
請求項６の発明は、前記回動遊技板係止片と該回動遊技板係止片に係合可能な前記遊技板係合部は前記遊技板の上部両側に配置されていると共に、前記大径遊技板係止片と該大径遊技板係止片と係合する前記遊技板係合部は前記遊技板の下部両側に配置されることを特徴とする請求項５に記載の弾球遊技機に係る。
【００１２】
請求項７の発明は、前記遊技板は、その前面下部に前記取付けベース体の下部を支持可能な受け部材を備え、前記受け部材は前記取付けベース体を幅方向で保持可能な載置部を備えていることを特徴とする請求項１ないし６のいずれか１項に記載の弾球遊技機に係る。
【００１３】
請求項８の発明は、遊技球が流下可能な遊技領域を有する遊技板と、前記遊技板を保持する前面枠体と、前記前面枠体の前面に配置され、遊技領域の前面側を覆う透視可能な透明部材を有する透過枠体とを備えた弾球遊技機において、前記透過枠体の前記透明部材よりも前記遊技板側に位置すると共に前記遊技領域の前面側に透視可能な保護透明部材を備え、前記保護透明部材に、前記前面枠体側に取り付けるための取付ベース体を設けたことを特徴とする弾球遊技機に係る。
【００１４】
請求項９の発明は、前記取付ベース体は前記保護透明部材を保持する保持部を有すると共に、前記取付ベース体もしくは前記前面枠体のいずれか一方は他方の側から前記一方の側へ突出した前面枠体係止片と係合する枠体係合部を設けていることを特徴とする請求項８に記載の弾球遊技機に係る。
【００１５】
請求項１０の発明は、前記前面枠体係止片及び前記枠体係合部は、それぞれ対向する位置に複数備えられていることを特徴とする請求項９に記載の弾球遊技機に係る。
【００１６】
請求項１１の発明は、前記前面枠体係止片を挿入する貫通口が前記枠体係合部に形成され、前記前面枠体係止片は回動可能な軸部を備えた回動前面枠体係止片で少なくとも構成され、前記回動前面枠体係止片は前記貫通口に挿入されて前記枠体係合部と係合する係合位置と、前記貫通口に挿入されても前記枠体係合部と係合しない非係合位置との間で前記軸部を中心に回動可能に構成されていることを特徴とする請求項１０に記載の弾球遊技機に係る。
【００１７】
請求項１２の発明は、前記前面枠体係止片は、前記回動前面枠体係止片と、前記軸部の先端部に前記軸部よりも大径の大径先端部を備えた大径前面枠体係止片から構成され、前記大径前面枠体係止片と対向する位置の前記前面枠体係合部は前記大径先端部を挿入可能な大径貫通口と前記大径先端部よりも小径の前記軸部が挿通可能な軸部挿通口を備え、前記大径貫通口に前記大径前面枠体係止片を挿入した状態で前記軸部が前記大径貫通口から前記軸部挿通口へ移動可能に構成されていることを特徴とする請求項１１に記載の弾球遊技機に係る。
【００１８】
請求項１３の発明は、前記回動前面枠体係止片と該回動前面枠体係止片に係合可能な前記前面枠体係合部は前記前面枠体における前記遊技板の取り付け位置の上部両側に配置されていると共に、前記大径前面枠体係止片と該大径前面枠体係止片と係合する前記前面枠体係合部は前記前面枠体における前記遊技板の取り付け位置の下部両側に配置されることを特徴とする請求項１２に記載の弾球遊技機に係る。
【００１９】
請求項１４の発明は、前記遊技領域には遊技球を該遊技領域へ誘導する誘導路が形成され、前記誘導路には外側壁部と該外側壁部よりも前記遊技領域の中心側となる内側に配置された内側壁部が備えられており、前記外側壁部または前記内側壁部のいずれか一方あるいは両方が前記取付ベース体に設けられていることを特徴とする請求項１ないし１３のいずれか１項に記載の弾球遊技機に係る。
【００２０】
請求項１５の発明は、前記外側壁部及び前記内側壁部は共に円弧形状に形成され、前記誘導路を形成する部位にレール部材が取り付けられ、前記取付ベース体は、発射装置から発射された遊技球を前記誘導路へ導く流入口を備えると共に、前記外側壁部と前記内側壁部とを渦巻き形状に連結して構成され、前記保護透明部材は前記流入口を覆って前記取付ベース体に被さることを特徴とする請求項１４に記載の弾球遊技機に係る。
【発明の効果】
【００２１】
請求項１の発明に係る弾球遊技機によると、遊技球が流下可能な遊技領域を有する遊技板と、前記遊技板を保持する前面枠体と、前記前面枠体の前面に配置され、遊技領域の前面側を覆う透視可能な透明部材を有する透過枠体とを備えた弾球遊技機において、前記透過枠体の前記透明部材よりも前記遊技板側に位置すると共に前記遊技領域の前面側に透視可能な保護透明部材を備え、前記保護透明部材に、前記遊技板側に取り付けるための取付ベース体を設けたため、透過枠体と共に際の遊技板に形成された遊技領域に対する不正行為の防止効果をさらに高めることができる。
【００２２】
請求項２の発明に係る弾球遊技機によると、請求項１の発明において、前記取付ベース体は前記保護透明部材を保持する保持部を有すると共に、前記取付ベース体もしくは前記遊技板のいずれか一方は他方の側から前記一方の側へ突出した遊技板係止片と係合する遊技板係合部を設けているため、遊技板と保護透明部材との取り付けを簡単かつ容易とすることができる。
【００２３】
請求項３の発明に係る弾球遊技機によると、請求項２の発明において、前記遊技板係止片及び前記遊技板係合部は、前記遊技領域外のそれぞれ対向する位置に複数備えられているため、取付けベース体を介して保護透明部材と遊技板との固定をより強固にすることができる。
【００２４】
請求項４の発明に係る弾球遊技機によると、請求項３の発明において、前記遊技板係止片を挿入する貫通口が前記遊技板係合部に形成され、前記遊技板係止片は回動可能な軸部を備えた回動遊技板係止片で少なくとも構成され、前記回動遊技板係止片は前記貫通口に挿入されて前記遊技板係合部と係合する係合位置と、前記貫通口に挿入されても前記遊技板係合部と係合しない非係合位置との間で前記軸部を中心に回動可能に構成されているため、比較的簡単な構造としながら遊技板と取付ベース体、保護透明部材を固定することができる。また、取付ベース体、保護透明部材は、吊り下げた状態から遊技板に係止されるため、取り付け作業時に保護透明部材を落下させて破損するおそれも減らすことができる。
【００２５】
請求項５の発明に係る弾球遊技機によると、請求項４の発明において、前記遊技板係止片は、前記回動遊技板係止片と、前記軸部の先端部に該軸部よりも大径の大径先端部を備えた大径遊技板係止片から構成され、前記大径遊技板係止片と対向する位置の前記遊技板係合部は前記大径先端部を挿入可能な大径貫通口と前記大径先端部よりも小径の前記軸部が挿通可能な軸部挿通口を備え、前記大径貫通口に前記大径遊技板係止片を挿入した状態で前記軸部が前記大径貫通口から前記軸部挿通口へ移動可能に構成されているため、より簡単に取付けベース体を介し保護透明部材と遊技板とを固定することができる。
【００２６】
請求項６の発明に係る弾球遊技機によると、請求項５の発明において、前記回動遊技板係止片と該回動遊技板係止片に係合可能な前記遊技板係合部は前記遊技板の上部両側に配置されていると共に、前記大径遊技板係止片と該大径遊技板係止片と係合する前記遊技板係合部は前記遊技板の下部両側に配置されるため、より簡単かつ容易に取付けベース体を介し保護透明部材と遊技板とを固定することができる。
【００２７】
請求項７の発明に係る弾球遊技機によると、請求項１ないし６のいずれか１項の発明において、前記遊技板は、その前面下部に前記取付けベース体の下部を支持可能な受け部材を備え、前記受け部材は前記取付けベース体を幅方向で保持可能な載置部を備えているため、取付ベース体及び保護透明部材を遊技板係止片により遊技板に取り付ける際に、取付ベース体及び保護透明部材を下側から支えて落下に伴う破損を防止することができる。
【００２８】
請求項８の発明に係る弾球遊技機によると、遊技球が流下可能な遊技領域を有する遊技板と、前記遊技板を保持する前面枠体と、前記前面枠体の前面に配置され、遊技領域の前面側を覆う透視可能な透明部材を有する透過枠体とを備えた弾球遊技機において、前記透過枠体の前記透明部材よりも前記遊技板側に位置すると共に前記遊技領域の前面側に透視可能な保護透明部材を備え、前記保護透明部材に、前記前面枠体側に取り付けるための取付ベース体を設けたため、透過枠体と共に遊技板に形成された遊技領域に対する不正行為の防止効果をさらに高めることができる。
【００２９】
請求項９の発明に係る弾球遊技機によると、請求項８の発明において、前記取付ベース体は前記保護透明部材を保持する保持部を有すると共に、前記取付ベース体もしくは前記前面枠体のいずれか一方は他方の側から前記一方の側へ突出した前面枠体係止片と係合する枠体係合部を設けているため、前面枠体と保護透明部材との取り付けを簡単かつ容易とすることができる。
【００３０】
請求項１０の発明に係る弾球遊技機によると、請求項９の発明において、前記前面枠体係止片及び前記枠体係合部は、それぞれ対向する位置に複数備えられているため、取付けベース体を介して保護透明部材と前面枠体との固定をより強固にすることができる。
【００３１】
請求項１１の発明に係る弾球遊技機によると、請求項１０の発明において、前記前面枠体係止片を挿入する貫通口が前記枠体係合部に形成され、前記前面枠体係止片は回動可能な軸部を備えた回動前面枠体係止片で少なくとも構成され、前記回動前面枠体係止片は前記貫通口に挿入されて前記枠体係合部と係合する係合位置と、前記貫通口に挿入されても前記枠体係合部と係合しない非係合位置との間で前記軸部を中心に回動可能に構成されているため、比較的簡単な構造としながら前面枠体と取付ベース体、保護透明部材を固定することができる。また、取付ベース体、保護透明部材は、吊り下げた状態から前面枠体に係止されるため、取り付け作業時に保護透明部材を落下させて破損するおそれも減らすことができる。
【００３２】
請求項１２の発明に係る弾球遊技機によると、請求項１１の発明において、前記前面枠体係止片は、前記回動前面枠体係止片と、前記軸部の先端部に前記軸部よりも大径の大径先端部を備えた大径前面枠体係止片から構成され、前記大径前面枠体係止片と対向する位置の前記前面枠体係合部は前記大径先端部を挿入可能な大径貫通口と前記大径先端部よりも小径の前記軸部が挿通可能な軸部挿通口を備え、前記大径貫通口に前記大径前面枠体係止片を挿入した状態で前記軸部が前記大径貫通口から前記軸部挿通口へ移動可能に構成されているため、より簡単に取付けベース体を介し保護透明部材と前面枠体とを固定することができる。
【００３３】
請求項１３の発明に係る弾球遊技機によると、請求項１２の発明において、前記回動前面枠体係止片と該回動前面枠体係止片に係合可能な前記前面枠体係合部は前記前面枠体における前記遊技板の取り付け位置の上部両側に配置されていると共に、前記大径前面枠体係止片と該大径前面枠体係止片と係合する前記前面枠体係合部は前記前面枠体における前記遊技板の取り付け位置の下部両側に配置されるため、より簡単かつ容易に取付けベース体を介し保護透明部材と遊技板とを固定することができる。
【００３４】
請求項１４の発明に係る弾球遊技機によると、請求項１ないし１３のいずれか１項の発明において、前記遊技領域には遊技球を該遊技領域へ誘導する誘導路が形成され、前記誘導路には外側壁部と該外側壁部よりも前記遊技領域の中心側となる内側に配置された内側壁部が備えられており、前記外側壁部または前記内側壁部のいずれか一方あるいは両方が前記取付ベース体に設けられているため、遊技板を当該弾球遊技機から交換する際に、遊技球の誘導路の部材を再度利用できる。このため、遊技板の製造を簡素化することができ、原価を圧縮することができる。
【００３５】
請求項１５の発明に係る弾球遊技機によると、請求項１４の発明において、前記外側壁部及び前記内側壁部は共に円弧形状に形成され、前記誘導路を形成する部位にレール部材が取り付けられ、前記取付ベース体は、発射装置から発射された遊技球を前記誘導路へ導く流入口を備えると共に、前記外側壁部と前記内側壁部とを渦巻き形状に連結して構成され、前記保護透明部材は前記流入口を覆って前記取付ベース体に被さるため、取付ベース体の枠状部分の強度が向上する。そこで、取付ベース体の撓みや変形が軽減される。そこで、取付ベース体を遊技板の遊技領域と組み合わせた際の寸法ずれが解消される。
【発明を実施するための最良の形態】
【００３６】
以下添付の図面に基づきこの発明の好適な実施形態を説明する。
図１は第１実施例に係る弾球遊技機全体の正面図、図２は図１の遊技板の正面図、図３は図１の背面図、図４は弾球遊技機の背面側からの分解斜視図、図５は遊技板ユニットの正面図、図６は遊技板ユニットの正面側からの斜視図、図７は遊技板ユニットの分解斜視図、図８は遊技板と保護透明板ユニットの取り付け状態を示す縦断面図、図９は保護透明部材の分解斜視図、図１０は回動遊技板係止片及び大径遊技板係止片の斜視図、図１１は遊技板係止片の係合状態を示す概略図、図１２は第２実施例の弾球遊技機の背面側からの分解斜視図、図１３は第２実施例の保護透明板ユニットの分解斜視図、図１４は回動前面枠体係止片及び大径前面枠体係止片の斜視図、図１５は第３実施例の弾球遊技機における保護透明部材と前面枠体の分解斜視図である。
【００３７】
図１ないし図４に示す弾球遊技機１は、この発明の第１実施例に係るパチンコ遊技機である。弾球遊技機１の機枠２の内側に遊技板３が着脱交換可能に収容される。図２に示すとおり遊技板３の大半を遊技領域８が占める。遊技領域８の中心線上にその上部から下部に向けて順に表示装置９、普通電動役物であり可動片１１ａ，１１ｂを有する始動入賞口１０、特別電動役物である大入賞口１５、アウト口１７が配設される。表示装置９の上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞装置１５の両側に左落とし入賞口２７と右落とし入賞口２９が配設されている。図２中の符号３０１は受け樋、３１１ないし３１４は遊技板係止片、網掛け部分の６３０は誘導路である。これらについては後述する。
【００３８】
表示装置９の画像表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部５０を備えている。画像表示部５０は、数字、アルファベット、記号あるいは絵（キャラクタ）等の普通図柄または特別図柄を変動表示及び停止表示可能としている。大入賞装置１５において、符号６１は開閉板、６３は特定領域入賞口である。
【００３９】
図１の弾球遊技機１の前面側には、遊技状態を報知する枠飾りランプ３５，３６、枠飾りランプ３９Ｌ，３９Ｒ、払い出された遊技球を受けるための上側球受け皿３２、上側球受け皿３２を取り付けるための取付板３３、上側球受け皿３２の飽和時に遊技球を受けるための下側球受け皿３４、前記上側球受け皿３２に内蔵されて音声や効果音を発して遊技状態を遊技者に報知する上部スピーカ３７、下部スピーカ３８、遊技者による操作ハンドル９２（操作手段）の発射操作に応じて遊技球を遊技領域８に向けて弾発発射する発射装置９１等がそれぞれ組み付けられている。
【００４０】
発射装置９１は、操作ハンドル９２と、該操作ハンドル９２の操作により駆動する発射モータ９４（図４参照）と、この発射モータの駆動により間欠的に揺動して遊技球を弾発発射する打球杆（図示せず）とを有する。なお、遊技者により操作ハンドル９２（操作手段）が握持されると、遊技者の生体電流はタッチスイッチにより検知され、発射装置制御基板１５４の制御を受け発射モータ９４は駆動される（図３，図４参照）。発射装置９１により発射された遊技球は、図２並びに後記図５等に開示する誘導路６３０を経由して遊技領域８へ誘導される。誘導路６３０により遊技領域８に誘導された遊技球は、転動しつつ下方へ落下し、各入賞口に入賞するか、あるいは何処にも入賞しなければ前記アウト口１７から遊技板３の裏側へ排出される。
【００４１】
図３に示すように、弾球遊技機１の遊技板３の裏面側には制御基板機構体１００が装備され、遊技板の前面側に配設された画像表示装置９の画像表示部への図柄等の表示制御を行う図柄制御基板１５７、同じく遊技板の前面側である遊技領域８に配設された入賞口に入球した遊技球を集合させる集合路を有する集合板（図示せず）が設けられている。
【００４２】
図３の符号１４０は遊技球を貯留する貯留タンク、１４１はタンクレール、１４２は枠用外部出力端子基板、１４３はランプ中継基板、１４４は受電基板、１４５は賞球センサ中継基板、１４６は盤面用外部出力端子基板、１４７は中継基板、１４８は音声制御基板、１４９はＦＧ中継基板、１５０は主制御基板、１５１は電源基板、１５２はサブ制御基板（内部に発光制御基板を保持する。）、１５３は払出制御基板、１５４は発射装置制御基板、１５５はカードインターフェイス接続部、１５６は電源プラグ、１５７は図柄制御基板、１６０は制御基板収容ケース、２００はスピーカボックス、Ｇは接地線である。
【００４３】
図４は弾球遊技機１の枠構造体の背面側からの斜視図である。木製の機枠２内に図３にて説明した制御基板機構体１００が収容される。制御基板機構体１００の手前には、前面枠体４が配置され、同前面枠体４の遊技盤収容開口部４０１に遊技板３は収容される。遊技板３の前面には破線表示の保護透明板ユニット６Ｕ（図４参照）が配置される。前面枠体４の手前に、上側球受け皿３２、下側球受け皿３４等が取り付けられる透過枠体５が接続される。実施例において、制御基板機構体１００、前面枠体４、透過枠体５もビス等により適宜固定される。図４において、透過枠体５内の取付枠５０１には遊技領域８の前面側を覆う透視可能な透明部材（正面ガラス板５００）が装着される。図示では紙面奥から透過枠体５、前面枠体４、遊技板３の配置順としている。図示の他に、遊技板３の交換し易さから、紙面奥より透過枠体５、遊技板３、前面枠体４とする順に配置を変更した構成にすることも可能である。
【００４４】
弾球遊技機を点検する目的から、遊技板３や各種の制御基板を開けて確認する必要がある。そこで、機枠２の上下２箇所に垂直の軸体を配した支軸部２ｈが備えられる。この支軸部２ｈに垂直方向に備えられた軸体を受け入れるため、前面枠体４の上下に取付部４ｈ及び透過枠体５の上下に取付部５ｈが設けられる。両取付部４ｈ，５ｈには、それぞれ、軸体が挿入される穴部が形成されている。この結果、前面枠４、透過枠体５は、機枠２の一側となる上下の支軸部２ｈ設置側を回動可能に軸支される。実施例の軸支の構造は通常の弾球遊技機に適用されている公知構造である。
【００４５】
第１実施例の遊技機において、図５の正面図及び図６の斜視図に加えて図７の分解斜視図から把握されるように、遊技領域８の前面側に透視可能な保護透明部材６は、透過枠体５の正面ガラス板５００（透明部材）よりも遊技板３の側に位置して備えられる。保護透明部材６は透過枠体５と遊技板３の間に配置される。保護透明部材６には、遊技板３に取り付けるための取付ベース体６００が設けられる。保護透明部材６と取付ベース体６００は一体化され、保護透明板ユニット６Ｕとなる。さらに、図示の保護透明板ユニット６Ｕ（保護透明部材６、取付ベース体６００）は、遊技板３の正面と張り合わされ、遊技板ユニット３Ｕとなる。取付ベース体６００の厚さは、図２等に示す画像表示装置、各種入賞口等の役物、遊技釘よりも厚く設計される。
【００４６】
前記の発射装置９１（発射モータ９４）により発射された遊技球は、取付ベース体６００の下方の開口部分である流入口６３９から誘導路６３０へ導入される。そして、誘導路６３０を経由して遊技領域８へ誘導される。誘導路６３０は、外側壁部６３１と当該外側壁部６３１よりも内側に配置された内側壁部６３２により囲まれた領域である（図２等参照）。
【００４７】
図示から自明なように、外側壁部６３１と内側壁部６３２は共に円弧形状に形成される。弾発発射された遊技球の遠心力により弾道距離を長くできるためである。外側壁部６３１と内側壁部６３２には板金製のレール部材６３５が敷設される。遊技球はレール部材６３５に当接するとレール部材は金属弾性により弾み、遊技球は付勢される。符号６３３は球戻り防止片である。
【００４８】
図７ないし１１を用い前記の遊技板ユニット３Ｕを構成する部材並びに各部材の固定、係合の様子について説明する。はじめに、図７の分解斜視図は、遊技板３と、遊技板３に装着される保護透明板ユニット６Ｕの保護透明部材６及び取付ベース体６００を分離して示す。図では説明の便宜上、遊技板３における表示装置、各種入賞口等を省略した。
【００４９】
遊技板３の上下、左右の角部分４箇所に、当該遊技板３から前面枠体４側へ突出した遊技板係止片３１０（図の符号３１１，３１２，３１３，３１４参照）が備えられる。また、遊技板３の前面下部に受け部材３０１が備えられる。この受け部材３０１に、保護透明板ユニット６Ｕ（保護透明部材６及び取付ベース体６００）が載置され、４箇所の遊技板係止片と共に遊技板３と保護透明板ユニット６Ｕの保持が補強される。受け部材３０１には、遊技球を誘導路へ導く流入口を遮らないため、切欠部３０２が形成される。図示の例では、受け部材３０１は二の部材からなる。
【００５０】
図示の符号３２１は右上回動遊技板係止片３１１の回動軸部、３２２は左上回動遊技板係止片３１２の回動軸部、３２３は右下大径遊技板係止片３１３の軸部、３２４は左下大径遊技板係止片３１４の軸部である。右上回動遊技板係止片３１１及び左上回動遊技板係止片３１２は遊技板３の上部両側であり、遊技領域８の外に配置され、右下大径遊技板係止片３１３及び左下大径遊技板係止片３１４は遊技板３の下部両側であり、遊技領域８の外に配置されている（図２，図７参照）。回動軸部並びに軸部は、保護透明板ユニット６Ｕの厚さを加味した長さとなる。取付ベース体６００は、保護透明部材６を保持するため当該保護透明部材６の形状に合わせた枠状体である。保護透明部材６の周囲が取付ベース体６００の周囲を取り囲む枠形状の保持部６０１に収容されて、保護透明部材６は取付ベース体６００に保持される。
【００５１】
受け部材３０１の作用は図８の縦断面図により明らかとなる。保護透明板ユニット６Ｕ（保護透明部材及び取付ベース体）を遊技板３に取り付ける際、はじめに図８（ａ）のように、遊技板３の正面に保護透明板ユニット６Ｕが張り合わされる。図８（ｂ）のとおり、保護透明板ユニット６Ｕを張り合わせたまま滑らせるようにして保護透明板ユニットの下部６ｄを受け部材３０１上の載置部３０３に当接させる。保護透明板ユニット６Ｕ（保護透明部材及び取付ベース体）はその幅方向で載置部３０３に保持され、保護透明板ユニット６Ｕは遊技板係止片３１０による係止とともに安定して遊技板３に取り付けられる。図示の受け部材３０１の先端には留め部３０４も形成されているため、保護透明板ユニットの下部６ｄの位置ずれは抑制される。
【００５２】
再び図７に示すとおり、取付ベース体６００の上下、左右の角部分４箇所には、遊技板３に設けられた遊技板係止片３１０（３１１，３１２，３１３，３１４）の位置に対応して係合する遊技板係合部６１０が設けられる。実施例の取付ベース体６００において、遊技板係合部６１０には貫通口６１１，６１２，６１３，６１４が形成される。また、この実施例の取付ベース体６００には、外側壁部６３１と内側壁部６３２の両方が設けられている。図示からわかるように、取付ベース体６００は、外側壁部６３１から内側壁部６３２にかけて、貫通口６１４→６１２→６１１→６１３の順に辿るようにして、内部側へ向かう渦巻き形状に連結されている。
【００５３】
保護透明部材６が取付ベース体６００の保持部６０１に収容される際、保護透明部材６は、取付ベース体６００の下方であり渦巻き形状の切れ目部分に当たる流入口６３９に覆い被さる。取付ベース体６００に保護透明部材６が組み合わさることにより、取付ベース体の枠状部分の強度が向上する。そこで、取付ベース体の撓み、変形等が軽減され、遊技板３、その遊技領域８と組み合わせた際の寸法ずれが解消される。この実施例の取付ベース体６００は外側壁部６３１と内側壁部６３２の両方を備えていることから、遊技板３を当該遊技機から交換する際に、遊技球の誘導路の部材（取付ベース体側）を再度利用できる。このため、遊技板の製造原価を圧縮することができる。
【００５４】
保護透明部材６は、図７に加え図９の斜視図のとおり、遊技領域８の概形に合わせた透明なガラス製の透明板６５０と、この透明板６５０の周囲を保持、収容する透明板枠６６０からなり、透明板枠６６０内に透明板６５０が組み合わされる。透明板枠６６０の上下、左右の角部分４箇所に係合口６６１，６６２，６６３，６６４が形成される。各貫通口６１１，６１２，６１３，６１４と係合口６６１，６６２，６６３，６６４の形状は互いに同形状である。図示の符号６７１は右上規制突部、６７２は左上規制突部である。
【００５５】
特に図７からよくわかるように、遊技板係止片、貫通口、係合口のいずれもが、それぞれ対応する同一直線上に配置される。具体的に、｛右上回動遊技板係止片３１１−右上貫通口６１１−右上係合口６６１｝、｛左上回動遊技板係止片３１２−左上貫通口６１２−左上係合口６６２｝、｛右下大径遊技板係止片３１３−右下貫通口６１３−右下係合口６６３｝、｛左下大径遊技板係止片３１４−左下貫通口６１４−左下係合口６６４｝となる対応を満たしており、遊技板係止片と貫通口（遊技板係合部）同士はそれぞれ互いに対向する位置関係にある。自明なように、右上貫通口６１１と右上係合口６６１及び左上貫通口６１２と左上係合口６６２は遊技板３の上部両側の配置であり、右下貫通口６１３と右下係合口６６３及び左下貫通口６１４と左下係合口６６４は遊技板３の下部両側の配置である。よって、第１実施例によると、遊技板３、取付ベース部材６００、保護透明部材６は、４箇所の遊技板係止片３１１，３１２，３１３，３１４を介して組み合わされ、遊技板ユニット３Ｕが構成される。
【００５６】
図１０の斜視図は実施例における遊技板係止片３１０の構造を表す。図１０（ａ）からわかるように、遊技板係止片３１０の中で遊技板３の上部の左右に設けられている右上回動遊技板係止片３１１，左上回動遊技板係止片３１２は、遊技板３の遊技領域外で取付けベース体の側へ立設した回動軸部３２１（３２２）と、回動軸部の先端部３２１ａに接続された回動部３１１ｓ（３１２ｓ）と、桿部３１６（３１７）からなる。回動部３１１ｓ（３１２ｓ）はビスｖにより回動軸部３２１（３２２）に接続され、回動自在である。回動軸部を中心に桿部３１６（３１７）は図示の円弧状矢印のように回動できる。かっこで付記した符号は左上回動遊技板係止片３１２にかかる部材である。
【００５７】
図１０（ｂ）は遊技板係止片３１０の中で遊技板３の下部の左右に設けられている右下大径遊技板係止片３１３，左下大径遊技板係止片３１４を表す。右下大径遊技板係止片３１３（３１４）の先端部３２３ａには、当該大径遊技板係止片の軸部３２３（３２４）よりも直径を大きくした大径先端部３１３ｔ（３１４ｔ）が備えられる。軸部と大径先端部との接続は適宜であり、図示ではビスｖを用いた。かっこで付記した符号は左下大径遊技板係止片３１４にかかる部材である。
【００５８】
続いて、前述の遊技板係止片（回動遊技板係止片，大径遊技板係止片）と、貫通口並びに係合口との係合状態を説明する。遊技板３の上部側に備えられた右上回動遊技板係止片３１１と左上回動遊技板係止片３１２は左右対称であるため、図１１（ａ），（ｂ）に基づいて右上回動遊技板係止片３１１を例示する。取付ベース部材６００に保護透明部材６を組み合わせとき、取付ベース部材６００の右上貫通口６１１と保護透明部材６の右上係合口６６１、左上貫通口６１２と左上係合口６６２は、同形状により互いに重なる。図示では、最前面の係合口６６１を示す。
【００５９】
右上回動遊技板係止片３１１の回動部３１１ｓ及び桿部３１６は右上係合口６６１（右上貫通口６１１）よりも小さく形成されている。右上係合口６６１（右上貫通口６１１）に遊技板３から正面に突出した右上回動遊技板係止片３１１を挿入する場合、回動角度の調整により桿部３１６の向きを右上係合口６６１の桿部開口６８１と一致させる。桿部３１６の向きが桿部開口６８１と揃えられていれば、右上回動遊技板係止片は抵抗無く右上係合口を通り抜ける（図１１（ａ））。この回動遊技板係止片の位置は、遊技板係合部（貫通口）及び係合口と係合しない非係合位置に相当する。
【００６０】
図１１（ｂ）のように、右上回動遊技板係止片３１１の桿部３１６は、回動軸部３２１を中心に右上規制突部６７１と当接する位置まで回動される。このようにすると、桿部３１６の一部は、右上係合口６６１（右上貫通口６１１）から外部に達し、透明板枠６６０に被さる。こうして、遊技板３は回動遊技板係止片を介して保護透明板ユニット６Ｕ（保護透明部材６及び取付ベース体６００）と係合可能となる。当該遊技板係止片の位置は、遊技板係合部（貫通口）及び係合口と係合する係合位置に相当する。なお、図５及び図６の該当部位も参照される。
【００６１】
遊技板３の下部の両側に備えられた右下大径遊技板係止片３１３と左下大径遊技板係止片３１も左右対称であるため、図１１（ｃ），（ｄ）に基づいて右下大径遊技板係止片３１３を例示する。取付ベース部材６００に保護透明部材６を組み合わせた保護透明板ユニット６Ｕにおいて、右下貫通口６１３と右下係合口６６３、並びに左下貫通口６１４と左下係合口６６４は同形状により互いに重なる。図示では、最前面の右下係合口６６３を示す。
【００６２】
図１１（ｃ）は、右下大径遊技板係止片３１３（その大径先端部３１３ｔ）が右下係合口６６３の大径貫通口６６３ｊに挿入された状態である。この大径遊技板係止片の位置は、遊技板係合部（貫通口）及び係合口と係合しない非係合位置に相当する。続いて、右下大径遊技板係止片３１３が右下係合口６６３に挿入された状態を維持しつつ、保護透明板ユニット６Ｕが遊技板３の遊技領域８に沿って下方に降下される（図８参照）。図１１（ｄ）のとおり、右下係合口６６３の軸部挿通口６６３ｋに右下大径遊技板係止片３１３の軸部３２３が侵入する。軸部挿通口６６３ｋは軸部３２３の直径よりとほぼ同じもしくは僅かに広い幅である。従って、軸部３２３が軸部挿通口６６３ｋに達した際、右下遊技板係止片３１３は、大径先端部３１３ｔと透明板枠６６０との抵抗により右下係合口６６３から脱離しなくなる。当該大径遊技板係止片の位置は、遊技板係合部（貫通口）及び係合口と係合する係合位置に相当する。実施例の４箇所の遊技板係止片によると、比較的簡単な構造としながら遊技板と取付ベース体、保護透明部材を固定することができる。また、取付ベース体、保護透明部材は、吊り下げた状態から遊技板に係止されるため、取り付け作業時に保護透明部材を落下させて破損するおそれも減らすことができる。
【００６３】
実施例の右上及び左上回動遊技板係止片と、右下及び左下大径遊技板係止片と互いに異なる構造としているが、いずれの遊技板係止片の構造とするかは適宜である。遊技板との組み合わせやすさ、設計の自由度等に依存する。例示の遊技板係止片の構造に代えて別の構造を適用することもできる。図示しないが、取付けベース体の側に遊技板係止片を設け、遊技板の側に遊技板係合部を設けることも可能である。この場合、遊技板の製造は簡単となる。
【００６４】
これまでに詳述した遊技板係止片、貫通口、係合口を通じた係合と固定により、遊技板３に保護透明板ユニット６Ｕ（保護透明部材６、取付ベース体６００）が組み付けられ遊技板ユニット３Ｕとなる（図５，６参照）。図示から把握できるように、遊技領域８と透明保護部材６との間を広げようとすることは困難になる。従って、遊技領域８に対する不正行為の防止に効果を発揮する。また、遊技板係合部６１０（その貫通口６１１ないし６１４）と遊技板３との係合状態から理解されるように、遊技板３への取付ベース体６００の取り付けは極めて容易となる。
【００６５】
これより説明する第２実施例の弾球遊技機は、図１２の分解斜視図から明らかなように、透過枠体５の透明部材５００よりも遊技板３側に位置し、この遊技板３の前面側に透視可能な保護透明部材（図示では保護透明板ユニット６Ｖ）が備えられる。第２実施例の保護透明部材は、前面枠体４の正面側、すなわち、透過枠体５と前面枠体４の間に介在される。
【００６６】
図１３は前面枠体４を正面側から見た斜視図である。図示から分かるように、前面枠体４に遊技板３が装着され、さらに遊技板３の遊技領域８の前面側に保護透明部材６、取付ベース体６００（破線表示）が配置される。前記の第１実施例と同じく、保護透明板ユニット６Ｖは保護透明部材６と取付ベース体６００を一体に組み合わせてなる。保護透明部材６と取付ベース体６００の構造、貫通口や係合口の位置等は、既に図７等にて詳述したとおりであり、取付ベース体６００が備える外側壁部、内側壁部、レール部材の構造も共通であるため省略する。ただし、取付ベース体６００は、前面枠体４に適合させた形状となる。符号６１０は枠体係合部である。
【００６７】
第２実施例では、図１３に示すように、前面枠体４と保護透明板ユニット６Ｖとの係合のために前面枠体係止片４１０が４箇所備えられる。右上回動前面枠体係止片４１１と左上回動前面枠体係止片４１２は、前面枠体４における遊技板３の取り付け位置の上部両側に配置される。右下大径前面枠体係止片４１３と左下大径前面枠体係止片４１４は前面枠体４における遊技板３の取り付け位置の下部両側に配置される。
【００６８】
右上回動前面枠体係止片４１１、左上回動前面枠体係止片４１２は、図１４（ａ）に示すとおり、前面枠体４から取付けベース体の側へ立設した回動軸部４２１（４２２）と、回動軸部の先端部４２１ａに接続された回動部４１１ｓ（４１２ｓ）と、桿部４１６（４１７）からなる。回動部と回動軸部との接続は第１実施例と同様にビスｖによる。回動軸部を中心に桿部４１６（４１７）は図示の円弧状矢印の回動となる。かっこで付記した符号は左上回動前面枠体係止片４１２にかかる部材である。
【００６９】
右下大径前面枠体係止片４１３と左下大径前面枠体係止片４１４は、図１４（ｂ）に示すとおり、右下大径前面枠体係止片４１３（４１４）の先端部４２３ａには、当該大径前面枠体係止片の軸部４２３（４２４）よりも直径を大きくした大径先端部４１３ｔ（４１４ｔ）が備えられる。軸部と大径先端部との接続は適宜であり、図示ではビスｖを用いた。かっこで付記した符号は左下大径前面枠体係止片４１４にかかる部材である。なお、回動軸部並びに軸部は、保護透明板ユニット６Ｖの厚さを加味した長さとなる。
【００７０】
図１３に示しているとおり、前面枠体係止片、貫通口、係合口のいずれもが、それぞれ対応する同一直線上に配置される。具体的に、｛右上前面枠体係止片４１１−右上貫通口６１１−右上係合口６６１｝、｛左上前面枠体係止片４１２−左上貫通口６１２−左上係合口６６２｝、｛右下前面枠体係止片４１３−右下貫通口６１３−右下係合口６６３｝、｛左下前面枠体係止片４１４−左下貫通口６１４−左下係合口６６４｝となるそれぞれ互いに対向する位置関係である。
【００７１】
右上回動前面枠体係止片４１１、左上回動前面枠体係止片４１２と、保護透明板ユニット６Ｖ（その貫通口並びに係合口）との係合状態は、図１１（ａ），（ｂ）で説明した右上回動遊技板係止片３１１の場合と同様である。また、右下大径前面枠体係止片４１３、左下大径前面枠体係止片４１４と、保護透明板ユニット６Ｖ（その貫通口、係合口）との係合状態は、図１１（ｃ），（ｄ）で説明した右下大径遊技板係止片３１３の場合と同様である。
【００７２】
第２実施例の弾球遊技機においても、詳述した前面枠体係止片、貫通口、係合口を通じた係合と固定により、遊技領域８と透明保護部材６との間を広げようとすることは困難になる。従って、遊技領域８に対する不正行為の防止に効果を発揮する。また、枠体係合部６１０（その貫通口６１１ないし６１４）と遊技板３との係合状態から理解されるように、遊技板３への取付ベース体６００の取り付けは極めて容易となる。さらに、比較的簡単な構造としながら前面枠体と取付ベース体、保護透明部材を固定することができる。また、取付ベース体、保護透明部材は、吊り下げた状態から前面枠体に係止されるため、取り付け作業時に保護透明部材を前面枠体から落下させて破損するおそれも減らすことができる。なお、例示の前面枠体係止片の構造に代えて別の構造を適用することもできる。図示しないが、取付けベース体の側に前面枠体係止片を設け、前面枠体の側に前面枠体係合部を設けることも可能である。この場合、前面枠体製造は簡単となる。
【００７３】
続いて示す図１５は、第３実施例の弾球遊技機における保護透明部材と前面枠体の分解斜視図である。第３実施例は、前記の第２実施例にて説明した４箇所の前面枠体係止片４１０として、右上回動前面枠体係止片４１１、左上回動前面枠体係止片４１２、右下大径前面枠体係止片４１３、左下大径前面枠体係止片４１４を前面枠体４に備える。併せて、遊技球の誘導路を形成する外側壁部６３１、内側壁部６３２を前面枠体４に形成されている。この第３実施例の場合、保護透明部材６の透明板枠６６０が取付ベース体に相当する。なお、遊技球の誘導路を形成する外側壁部、内側壁部を遊技板に設けた構成としてもよい。
【００７４】
第３実施例における前面枠体係止片、貫通口の対応は、具体的に、｛右上前面枠体係止片４１１−右上貫通口６１１｝、｛左上前面枠体係止片４１２−左上貫通口６１２｝、｛右下前面枠体係止片４１３−右下貫通口６１３｝、｛左下前面枠体係止片４１４−左下貫通口６１４｝となるそれぞれ互いに対向する位置関係である。
【００７５】
取付ベース体となる透明板枠６６０の角部分に設けられた４箇所の係合口（右上係合口６６１、左上係合口６６２、右下係合口６６３、左下係合口６６４）が、貫通口（係合部）に当たる。第３実施例における右上回動前面枠体係止片４１１、左上回動前面枠体係止片４１２と、透明板枠６６０との係合状態は、図１１（ａ），（ｂ）で説明した右上回動遊技板係止片３１１の場合と同様である。また、右下大径前面枠体係止片４１３、左下大径前面枠体係止片４１４と、透明板枠６６０との係合状態は、図１１（ｃ），（ｄ）で説明した右下大径遊技板係止片３１３の場合と同様である。
【００７６】
第３実施例の弾球遊技機においても、詳述した前面枠体係止片、貫通口を通じた係合と固定により、遊技領域８と透明保護部材６との間を広げようとすることは困難になる。従って、遊技領域８に対する不正行為の防止に効果を発揮する。また、既述の枠体係合部６１０（その貫通口６１１ないし６１４）と遊技板３との係合状態から理解されるように、遊技板３への取付ベース体（透明保護部材６の透明板枠６６０）の取り付けは極めて容易となる。第３実施例においても、比較的簡単な構造としながら前面枠体に取付ベース体となる透明板枠を固定することができる。この場合も、透明板枠は吊り下げた状態から前面枠体に係止されるため、これを落下させて破損するおそれも減らすことができる。なお、図示しないが、取付ベース体となる透明板枠の側に前面枠体係止片を設け、前面枠体の側に前面枠体係合部を設けることも可能である。この場合も同様に前面枠体製造は簡単となる。
【００７７】
以上のとおり第１ないし第３実施例を開示し本発明を説明してきたが、本発明はこれらの実施形態に限られることはない。例えば、透過枠体の透明部材、保護透明部材の透明板は、ともにガラス板とした。この代わりに、透明のアクリル樹脂等を用いて軽量化を図ることも可能である。また、遊技板に配置する役物の大きさ、形状等を考慮して、取付ベース部材に外側壁部、内側壁部のいずれか一方の形成とすることもできる。
【００７８】
本発明の構成については、パチンコ遊技機の実施例を用いて説明した。むろん、パチンコ遊技機のみの適用に限られることはなく、アレンジボール遊技機等の適宜の弾球遊技機に適用することができる。
【図面の簡単な説明】
【００７９】
【図１】第１実施例に係る弾球遊技機全体の正面図である。
【図２】図１の遊技板の正面図である。
【図３】図１の背面図である。
【図４】弾球遊技機の背面側からの分解斜視図である。
【図５】遊技板ユニットの正面図である。
【図６】遊技板ユニットの正面側からの斜視図である。
【図７】遊技板ユニットの分解斜視図である。
【図８】遊技板と保護透明板ユニットの取り付け状態を示す縦断面図である。
【図９】保護透明部材の分解斜視図である。
【図１０】回動遊技板係止片及び大径遊技板係止片の斜視図である。
【図１１】遊技板係止片の係合状態を示す概略図である。
【図１２】第２実施例の弾球遊技機の背面側からの分解斜視図である。
【図１３】第２実施例の保護透明板ユニットの分解斜視図である。
【図１４】回動前面枠体係止片及び大径前面枠体係止片の斜視図である。
【図１５】第３実施例の弾球遊技機における保護透明部材と前面枠体の分解斜視図である。
【符号の説明】
【００８０】
１  弾球遊技機
２  機枠
３  遊技板
４  前面枠体
５  透過枠体
６  保護透明部材
８  遊技領域
３０１  受け部材
３１０  遊技板係止片
３１１  右上回動遊技板係止片（回動遊技板係止片）
３１２  左上回動遊技板係止片（回動遊技板係止片）
３１３  右下大径遊技板係止片（大径遊技板係止片）
３１４  左下大径遊技板係止片（大径遊技板係止片）
３２１，３２２  回動軸部
３２３，３２４  軸部
４１０  前面枠体係止片
４１１  右上前面枠体係止片（回動前面枠体係止片）
４１２  左上前面枠体係止片（回動前面枠体係止片）
４１３  右下前面枠体係止片（大径前面枠体係止片）
４１４  左下前面枠体係止片（大径前面枠体係止片）
４２１，４２２  回動軸部
４２３，４２４  軸部
６１０  遊技板係合部
６１１  右上貫通口（貫通口）
６１２  左上貫通口（貫通口）
６１３  右下貫通口（貫通口）
６１４  左下貫通口（貫通口）
６３０  誘導路
６３１  外側壁部
６３２  内側壁部
６３５  レール部材
６３７  流入口
６５０  透明板
６６０  透明板枠
３Ｕ  遊技板ユニット
６Ｕ，６Ｖ  保護透明板ユニット
【図１】
2009261560.tif 000003
【図２】
2009261560.tif 000004
【図３】
2009261560.tif 000005
【図４】
2009261560.tif 000006
【図５】
2009261560.tif 000007
【図６】
2009261560.tif 000008
【図７】
2009261560.tif 000009
【図８】
2009261560.tif 000010
【図９】
2009261560.tif 000011
【図１０】
2009261560.tif 000012
【図１１】
2009261560.tif 000013
【図１２】
2009261560.tif 000014
【図１３】
2009261560.tif 000015
【図１４】
2009261560.tif 000016
【図１５】
2009261560.tif 000017